(57)【特許請求の範囲】
【請求項１】
トナー像が定着されたシート状の転写材を複数枚収容するように画像形成装置本体に形成されたトレイと、
このトレイ上の転写材の一端側が押し当てられる転写材ストッパと、
この転写材ストッパに対向するように前記トレイに取り付けられ、前記転写材の他端側を前記転写材ストッパ側へ押圧するように移動させられて、複数枚の転写材を整合させるカーソルと、
を備えた整合ユニットにおいて、
前記カーソルは、前記トレイの転写材支持面に沿って移動する起立壁と、この起立壁の上端から上方へ離れるにしたがって前記転写材ストッパ側へ倒れ込む傾斜壁と、を備え、
前記起立壁は、前記転写材支持面上に積載される前記転写材の最大積載枚数の厚さに等しいか又はその厚さ寸法よりも僅かに大きくなるような高さ寸法に形成され、
前記傾斜壁は、前記起立壁と一体に形成された第１の傾斜壁部と、この第１の傾斜壁部に固定されて前記第１の傾斜壁部の上方に延出する弾性変形可能な板状の樹脂製フィルムからなる第２の傾斜壁部と、を有することを特徴とする整合ユニット。
【請求項２】
前記トレイが前記画像形成装置本体の側面に開口するように画像形成装置本体内に区画形成され、
前記カーソルの傾斜壁の上端が前記画像形成装置本体の前記トレイを区画する上部壁面の近傍位置まで延設されていることを特徴とする請求項１に記載の整合ユニット。
【請求項３】
転写材上に転写されたトナー像が定着部によって加熱されて転写材に定着され、その定着後の転写材がトレイ上に複数枚積載され、その複数枚の転写材が整合ユニットによって整合されるように構成された画像形成装置において、前記整合ユニットが前記請求項１又は２に記載の整合ユニットであることを特徴とする画像形成装置。
【発明の詳細な説明】
【０００１】
【発明の属する技術分野】
この発明は、プリント済みのシート状の転写材をトレイ上に複数枚揃えて積載すると共に、その転写材の束を後処理位置等の所定位置まで移動させるために使用される整合ユニット及びこの整合ユニットを備えた複写機、プリンタ、ファクシミリ等の画像形成装置に関するものである。
【０００２】
【従来の技術】
従来から、プリント済みの複数枚の転写材の束にステープル処理や穿孔処理等の後処理を行うため、画像形成装置本体内に区画形成されたトレイ（後述する排紙トレイと区別するために、以下中間トレイと略称する）に排出された複数枚の転写材（例えば、シート状の紙や樹脂フィルム等）を整合し、その転写材の束を後処理位置まで移動させたり、後処理処理済みの転写材の束を中間トレイから排紙トレイに排出する所定位置まで移動させるように構成された整合ユニットを備えた画像形成装置が案出されている。
【０００３】
図１１は、このような画像形成装置の整合ユニット１２０を模式的に表した平面図である。この整合ユニット１２０は、カーソルとしての第１〜第２の幅寄せ部材１２１，１２２，カーソルとしての前寄せ部材１２３や、転写材ストッパ１２４等を備えている。すなわち、整合ユニット１２０は、中間トレイ１２５上に排出された転写材Ｐの幅方向位置（図の上下方向位置）を揃える第１の幅寄せ部材１２１と、この第１の幅寄せ部材１２１に対向するように配置された第２の幅寄せ部材１２２と、転写材Ｐの幅方向の対辺Ｐ１，Ｐ２に直交する対辺の一辺（図中の左辺）Ｐ３が押し当てられる転写材ストッパ１２４と、この転写材ストッパ１２４に対向するように配置されて転写材Ｐの前記一辺Ｐ３を前記転写材ストッパ１２４に押し当てる前寄せ部材１２３等を備えている。そして、この整合ユニット１２０は、第１の幅寄せ部材１２１と第２の幅寄せ部材１２２が矢印のように図中上下方向へ移動できるようになっており、また前寄せ部材１２３が図中左右方向へ移動できるようになっている。
【０００４】
このように構成された整合ユニット１２０は、先ず、中間トレイ１２５に排出されたプリント済みの転写材Ｐの図中上下左右方向の位置決めをし、複数枚の転写材Ｐを整合した状態で中間トレイ１２５上に積載する。次いで、この整合ユニット１２０は、第１の幅寄せ部材１２１及び第２の幅寄せ部材１２２を図中下方へ移動させることにより、整合させられた複数枚の転写材Ｐの束を後処理位置まで移動させる。その後、この整合ユニット１２０は、第１の幅寄せ部材１２１及び第２の幅寄せ部材１２２を図中上方へ移動させることにより、後処理終了後の転写材Ｐの束を図外の排紙トレイに排出するための所定位置まで移動させる。尚、上記転写材ストッパ１２４は、中間トレイ１２５から図外の排紙トレイに向かう排出路端部に位置しており、排出路に対して退避可能な状態に（排出路の端部を開閉する状態に）構成されている。
【０００５】
【発明が解決しようとする課題】
しかしながら、このようなステープル処理等の後処理を行う機能を備えた画像形成装置のうち、特にトナー像を転写材Ｐに熱定着するように構成された画像形成装置は、図１２に示すように、中間トレイ１２５上に排出される転写材Ｐの端部が転写材Ｐの材質や吸湿状態等によって大きくカールする場合がある。このような場合、転写材Ｐのカールした端部は、前寄せ部材１２３の直立するように形成された起立壁１２６の上方に位置し、前寄せ部材１２３で整合することができないことになる。また、前寄せ部材１２３は、転写材Ｐのサイズ（例えば、Ｂ５，Ａ４等の紙サイズ）に対応する位置から僅かに往復動して転写材Ｐの整合を行うことになるが、転写材Ｐのカールが大きいと、図１２の左右方向の長さ寸法が実際の転写材Ｐのサイズよりも短くなるため、転写材Ｐのカールした端部よりも前寄せ部材１２３の起立壁１２６上端が上方に位置していたとしても、前寄せ部材１２３の起立壁１２６が転写材Ｐに接触せず、転写材Ｐの整合をすることができないことになる。このような場合、整合不良（不揃い）の転写材Ｐの束がステープル等の後処理を行われることになり、後処理不良という問題が生じることになる。
【０００６】
そこで、本発明は、カールした転写材を確実に整合することができる整合ユニット及びこの整合ユニットを備えた画像形成装置を提供することを目的とする。
【０００７】
【課題を解決するための手段】
請求項１の発明は、請求項１の発明に係る整合ユニットは、トナー像が定着されたシート状の転写材を複数枚収容するように画像形成装置本体に形成されたトレイと、このトレイ上の転写材の一端側が押し当てられる転写材ストッパと、を備えている。また本発明の整合ユニットは、前記転写材ストッパに対向するように前記トレイに取り付けられ、前記転写材の他端側を前記転写材ストッパ側へ押圧するように移動させられて、複数枚の転写材を整合させるカーソルを備えている。このうち、前記カーソルは、前記トレイの転写材支持面に沿って移動する起立壁と、この起立壁の上端から上方へ離れるにしたがって前記転写材ストッパ側へ倒れ込む傾斜壁と、を備えている。そして、前記起立壁は、前記転写材支持面上に積載される前記転写材の最大積載枚数の厚さに等しいか又はその厚さ寸法よりも僅かに大きくなるような高さ寸法に形成されている。また、前記傾斜壁は、前記起立壁と一体に形成された第１の傾斜壁部と、この第１の傾斜壁部に固定されて前記第１の傾斜壁部の上方に延出する弾性変形可能な板状の樹脂製フィルムからなる第２の傾斜壁部と、を有している。
【０００９】
請求項２発明に係る整合ユニットは、上記請求項１の発明において、前記トレイが前記画像形成装置本体の側面に開口するように画像形成装置本体内に区画形成され、前記カーソルの傾斜壁の上端が前記画像形成装置本体の前記トレイを区画する上部壁面の近傍位置まで延設されていることを特徴としている。
【００１０】
請求項３の発明は、転写材上に転写されたトナー像が定着部によって加熱されて転写材に定着され、その定着後の転写材がトレイ上に複数枚積載され、その複数枚の転写材が整合ユニットによって整合されるように構成された画像形成装置において、前記整合ユニットが上記請求項１又は２に記載の整合ユニットであることを特徴としている。
【００１１】
【発明の実施の形態】
以下、本発明の実施の形態を図面に基づき説明する。
【００１２】
（画像形成装置）
図１及び図２に、本発明に係る画像形成装置の一例としての複写機を示す。ここで、図１は、複写機１０の内部構成を正面側から見た概略図である。また、図２は、複写機１０の外観形状、すなわち複写機本体（画像形成装置本体）１１の外側から見た形状を示す斜視図である。
【００１３】
まず、図１を主に、適宜、図２を参照しながら複写機１０の構成の概略を説明し、これにつづいて構成の詳細を説明する。
【００１４】
複写機１０は、ほぼ直方体状に構成された複写機本体１１を備えており、複写機本体１１は、上下方向に３つの部分、すなわち、下から順に、下ハウジング１２と、連結ハウジング１３と、上ハウジング１４とに大別される。そして、下ハウジング１２の内側には、下から順に、給紙部１５、画像形成部１６、定着部１７が設けられている。また、連結ハウジング１３には、排紙部１８、後処理部２０が設けられている。これら給紙部１５から後処理部２０までは、画像形成対象となる転写材（例えば紙）Ｐが下方から上方に搬送されるのに対応して、下から上に順に配設されている。上ハウジング１４の内側には、画像読取り部２１が設けられている。上述の連結ハウジング１３は、排紙部１８の右方における下ハウジング１２と上ハウジング１４との間に、排紙空間Ｓを有している。尚、、上ハウジング１４の上部には、原稿送り機構２２が装着されている。
【００１５】
つづいて、給紙部１５から順に各部の構成の詳細を説明する。
【００１６】
給紙部１５は、複数枚の転写材Ｐが積層状態で収納される給紙カセット２３と、給紙カセット２３内の転写材Ｐを１枚ずつ給紙する給紙ローラ２４と、ユーザーが手差しによって転写材を給紙するための手差しトレイ２５と、手差しトレイ２５にセットされた転写材を給紙する給紙ローラ２６と、給紙ローラ２４，２６から供給された転写材Ｐを一旦、停止させるとともに画像形成部１６に同期をとって供給するレジストローラ２７とを備えている。尚、、給紙カセット２３は、図２に示すように、ユーザーにとって手前側となる前方（矢印ａ方向）に引き出し可能に構成されていて、引き出した状態で、転写材Ｐの補給や、異なったサイズの転写材Ｐへの交換が行われるようになっている。また手差しトレイ２５は、図１に示すように、基端側の軸２５ａを介して下ハウジング１２によって揺動自在に支持されており、図１に示すほぼ水平な作動位置と、複写機本体１１の左側面に沿ってほぼ直立する退避位置とをとるようになっている。
【００１７】
画像形成部１６は、像担持体としての感光体ドラム２８と、感光体ドラム２８表面を均一に帯電する一次帯電器３０と、帯電後の感光体ドラム２８表面を露光して静電潜像を形成する露光器（例えば、レーザースキャナ）３１と、この静電潜像にトナーを付着させて現像する現像器３２と、感光体ドラム２８上のトナー像を上述のレジストローラ２７から供給されてきた転写材Ｐに転写する転写帯電器（転写ローラ）３３と、トナー像転写後に感光体ドラム２８表面に残った残留トナーを除去するクリーナ３４とを備えている。上述の露光器３１は、後述の画像読取り部２１が読み取った画像情報に基づいてＯＮ／ＯＦＦ制御されるレーザー光によって感光体ドラム２８表面を走査するようになっている。
【００１８】
定着部１７は、ヒータ３５を内蔵する定着ローラ３６と、この定着ローラ３６に押圧されて定着ローラ３６との間に定着ニップ部を構成する加圧ローラ３７とを備えている。上述の画像形成部１６において、表面にトナー像が転写された転写材Ｐは、この定着部１７において、定着ニップ部を通過する際に、加熱・加圧されて表面にトナー像が定着されるようになっている。
【００１９】
排紙部１８は、トナー像定着後の転写材Ｐの搬送経路を上方の後処理部２０側と、右方の排紙空間Ｓ側とに切り換えるフラッパ３８と、フラッパ３８からの転写材Ｐを右方の排紙空間Ｓに向けて排出する排紙ローラ４０と、排紙空間Ｓの底部を構成する平面状の排紙板４１とを備えている。排紙ローラ４０から排出された転写材Ｐは、画像面（トナー像が定着された面）を下方に向けた、いわゆるフェースダウンで排紙板４１上に積載されるようになっている。
【００２０】
後処理部２０は、給搬送ユニット４２と、整合ユニット４３と、排紙トレイ４４と、後処理器としてのステープラ４５（図２参照）とを備えている。
【００２１】
給搬送ユニット４２は、上述の排紙部１８の上方に配設されている。給搬送ユニット４２は、拡大図である図３、図４に示すように、排紙部１８から搬送されてきた転写材Ｐをガイドする切り換え可能な第１のフラッパ４６、第２のフラッパ４７と、これら第１，第２のフラッパ４６，４７によってガイドされた転写材Ｐの右方の整合ユニット４３に向けて排出する上排紙ローラ４８、下排紙ローラ５０と、整合ユニット４３に排出された転写材Ｐの後端の位置を規制する、退避可能な転写材ストッパ５１と、整合ユニット４３上の転写材Ｐを左方の排紙トレイ４４に向けて搬送する搬送ローラ５２とを有している。
【００２２】
このうち第１，第２のフラッパ４６，４７は、図３、図４に示す位置に切り換え可能となっている。そして、図３の位置をとったときには、下方の排紙部１８から搬送されてきた転写材Ｐを上，下排紙ローラ４８，５０に導くようになっている。また、図４の位置をとったときには、下排紙ローラ５０と搬送ローラ５２とによって右方から挟持搬送されてきた転写材Ｐを左方の排紙トレイ４４側に導くようになっている。また、転写材ストッパ５１は、図３に示す、基準面５９から上方に飛び出した起立位置と、図４に示す、基準面５９の下方に退避する退避位置とをとるようになっている。さらに、搬送ローラ５２は、図３に示す、基準面５９から下方に退避した退避位置と、図４に示す、基準面５９から上方に突出した作動位置とをとるようになっている。この搬送ローラ５２が退避位置にあるときは、上方の下排紙ローラ５０との間に複数枚の転写材Ｐの後端が進入できるだけの間隙が形成される。なお、下排紙ローラ５０は、排紙ローラと搬送ローラとを兼用している。すなわち、下排紙ローラ５０は、図３に示す状態のときは、上排紙ローラ４８とともに転写材Ｐを中間トレイ５３上に排出する一方、図４に示す状態のときは、搬送ローラ５２とともに転写材Ｐを挟み込んで左方に搬送するものである。
【００２３】
このように、給搬送ユニット４２は、下方の排紙部１８から搬送されてきた転写材Ｐを右方の整合ユニット４３に排出し、また、整合ユニット４３上に排出された転写材Ｐを左方の排紙トレイ４４上に排出するようになっている。
【００２４】
整合ユニット４３は、図１に示すように、給搬送ユニット４２の右方に隣接するように配設され、上述の排紙板４１の上方、すなわち排出空間Ｓの上部に位置している。整合ユニット４３は、給搬送ユニット４２から排出されてきた転写材Ｐを下方から支持する中間トレイ５３と、中間トレイ５３の上面（転写材支持面）に沿ってほぼ左右方向に移動可能な前寄せ部材５４と、中間トレイ５３の上面に沿ってほぼ前後方向に移動可能な幅寄せ部材５５，５６とを備えている。前寄せ部材５４は、中間トレイ５２上に転写材Ｐが排出されるごとに左右方向の往復運動を繰り返し、左方移動時に転写材Ｐの先端を押圧して、転写材Ｐの後端を転写材ストッパ５１に当接させ、これにより、中間トレイ５３上の転写材Ｐの搬送方向の位置を整合させるものである。一方、幅寄せ部材５５，５６は、中間トレイ５３上に転写材Ｐが排出されるごとに相互に近接・離間を繰り返し、近接時に転写材Ｐの左端及び右端を押圧し、これにより、中間トレイ５３上の転写材Ｐの搬送方向に直交する方向（以下「幅方向」という。）の位置を整合させるものである。ここで、前寄せ部材５４は、上述の整合動作を行う場合、転写材ストッパ５１との間の寸法が転写材Ｐの搬送方向長さ（幅方向に直交する方向の長さ）よりも僅かに短くなる位置まで移動し、転写材Ｐの搬送方向の位置を確実に整合させるようになっている。同様に、上述の幅寄せ部材５５，５６は、上述の整合動作を行う場合、両部材間の寸法が転写材Ｐの幅方向の寸法よりも僅かに短くなる位置まで移動し、転写材Ｐの幅方向の位置を確実に整合させるようになっている。
【００２５】
また、上述の幅寄せ部材５５，５６は、上述の整合動作の外に、中間トレイ５３上の転写材Ｐを、前面側（手前側）に移動させて排紙トレイ４４上に排出される転写材Ｐの幅方向に位置をずらして仕分けを行ったり、さらには、同じく中間トレイ５３上の転写材Ｐを、前面側のステープラ４５に対応する位置に移動させ、そして、ステープル後の転写材Ｐを後方に移動させて元の位置に復帰させることができるようになっている。
【００２６】
排紙トレイ４４は、給搬送ユニット４２の左方に配設されていて、給搬送ユニット４２から搬送されてきた転写材Ｐを左方に排出する排紙ローラ５７と、排出された転写材Ｐを下方から支持する積載部５８とを備えている。
【００２７】
ステープラ４５は、複数枚の転写材Ｐをステープルするためのものであり、図２に示すように、上述の給搬送ユニット４２の前面側に配設されている。
【００２８】
画像読取り部２１は、原稿Ｄがその画像面（画像情報）Ｇを下方に向けて載置される光透過性の原稿台６０と、原稿Ｄを原稿台６０に押圧する開閉自在な原稿押圧板６１と、原稿台６０上の原稿Ｄの画像面Ｇを光照射しながら左方から右方に移動する走査ユニット６２と、画像面Ｇからの反射光をさらに反射させるミラー６３，６４，６５と、反射光をＣＣＤ６７に結像させるレンズユニット６６と、光電変換するＣＣＤ６７とを備えている。原稿読取り部２１は、原稿Ｄを固定し、かつ走査ユニット６２を移動させる、いわゆる固定読みを行うようになっている。この画像読取り部２１で読み取った画像情報は、前述の露光器３１に送られるようになっている。このような画像読取り部２１が内部に配設された上ハウジング１４の前面側には、ユーザーによって操作される操作パネル６８が配設されている。
【００２９】
このように構成された複写機１０において、原稿台６０上に載置された原稿Ｄは、走査移動する走査ユニット６２等によって画像面（画像情報）Ｇが読み取られる。読み取られた画像情報は、画像形成部１６の露光器３１に送られる。
【００３０】
一方、画像形成部１６においては、感光体ドラム２８が矢印方向に回転駆動され、その表面が一次帯電器３４によって所定の極性・所定の電位に均一に帯電される。帯電後の感光体ドラム２８表面は、露光器３１によって画像情報に基づいた露光が行われ、静電潜像が形成される。この静電潜像は、現像器３２によってトナーが付着されてトナー像として現像される。こうして感光体ドラム２８上に形成されたトナー像は、転写帯電器３３によって転写材Ｐ表面に転写される。
【００３１】
この転写材Ｐは、給紙部１５の給紙カセット２３又は手差しトレイ２５から給紙ローラ２４又は給紙ローラ２６によって給紙された後、レジストローラ２７によって一旦停止され、さらに、感光体ドラム２８上のトナー像に同期するようにして感光体ドラム２８と転写帯電器３３との間の転写部に供給されたものである。
【００３２】
トナー像転写後の感光体ドラム２８は、表面に残った残留トナーがクリーナ３４によって除去され、次の画像形成に供される。
【００３３】
一方、トナー像転写後の転写材Ｐは、定着部１７に搬送され、ここで定着ローラ３６及び加圧ローラ３７によって加熱・加圧されて表面にトナー像が定着される。
【００３４】
こうしてトナー像が定着された転写材Ｐは、後処理の有無によって排出先が以下のように異なる。
【００３５】
まず、後処理がない場合の、トナー像定着後の転写材Ｐは、排紙部１８のフラッパ３８によって右方の排紙ローラ４０に導かれ、この排紙ローラ４０によって右方の排紙板４１上に、画像面（トナー像が形成された面）を下方に向けた、いわゆるフェースダウンで排紙されて、次々と積載される。
【００３６】
これに対して、後処理がある場合の、トナー像定着後の転写材Ｐは、フラッパ３８の切り換えによって上方の給搬送ユニット２０に搬送される。搬送された転写材Ｐは、図３の位置に配置された第１，第２のフラッパ４６，４７によって上，下排紙ローラ４８，５０に導かれ、中間トレイ５３上に排出される。このとき、搬送ローラ５２は退避位置に、また転写材ストッパ５１は起立位置に配置されている。中間トレイ５３上に排出された転写材Ｐは、その先端が前寄せ部材５４によって左方に押され、後端が転写材ストッパ５１に突き当てられ、これにより、搬送方向の位置が整合される。排紙された転写材Ｐは、これと同時に、幅寄せ部材５５，５６によって左右の側端が押圧され、これにより幅方向の位置が整合される。このような整合動作は、中間トレイ５３上に次々に排出される転写材Ｐに対して、同様に行われる。
【００３７】
そして、ステープルを行う所定の枚数の転写材Ｐが中間トレイ５３上に積載されると、転写材Ｐの排出が停止される。その後、転写材Ｐの左右の側端に当接された状態の幅寄せ部材５５，５６が前方に移動して、転写材Ｐの後端の手前側をステープラ４５に対応する位置に配置する。ステープラ４５が動作して、所定の枚数の転写材Ｐが綴じられる。ステープル後の転写材Ｐは、幅寄せ部材５５，５６によって後方に移動され元の位置に復帰する。復帰した転写材Ｐは、図４に示すように、作動位置に配置された搬送ローラ５２によって、その後端が下排紙ローラ５０との間に挟持される。そして、転写材ストッパ５１が図４の退避位置に、また第１，第２のフラッパ４６，４７が図４の位置に配置され、さらに、下排紙ローラ５０及び搬送ローラ５２が矢印方向に回転することにより、ステープル後の転写材Ｐは、左方に搬送され、排紙トレイ４４の排紙ローラ５７によって積載部５８（図１参照）上に排出され、積載される。
【００３８】
（整合ユニット）
次いで、整合ユニット４３の詳細を図５〜図１０に基づき説明する。尚、上述の幅寄せ部材５５，５６は、説明の便宜上、第１の幅寄せ部材５５と第２の幅寄せ部材５６のように区別して説明する。
【００３９】
図５は、整合ユニット４３を模式的に示す平面図である。この図５に示すように、整合ユニット４３は、画像形成装置本体１１内に区画形成された中間トレイ５３上に排出されたプリント済みの転写材Ｐの幅方向位置（図５中上下方向位置）を揃える第１の幅寄せ部材５５と、この第１の幅寄せ部材５５に対向するように配置された第２の幅寄せ部材５６と、転写材Ｐの幅方向の対辺Ｐ１，Ｐ２に直交する一辺（後端）Ｐ３が押し当てられる転写材ストッパ５１と、この転写材ストッパ５１に転写材Ｐを押し当てる前寄せ部材５４と、を備えている。
【００４０】
このうち、第１の幅寄せ部材５５と第２の幅寄せ部材５６の関係は、図６に示すようになっている。すなわち、第２の幅寄せ部材５６は、第１の幅寄せ部材５５上をガイド溝７０Ａに沿って幅方向（図６中左右方向）にスライドできるように取り付けられており、第１の幅寄せ部材５５と一体に幅方向へ移動できるようにもなっている（図５参照）。
【００４１】
前寄せ部材５４は、図５，図７〜図８に示すように、中間トレイ５３に形成されたガイド溝７０Ｂに案内されて移動する基部７１と、この基部７１から上方へむけて略直立するように形成された起立壁７２と、この起立壁７２から図中左側（転写材ストッパ５１側）へ向けて傾斜するように形成された傾斜壁７３とを備えており、起立壁７２及び傾斜壁７３が中間トレイ５３の上面（転写材支持面）７４に沿って移動するようになっている。そして、傾斜壁７３は、起立壁７２と一体に形成された第１の傾斜壁部７５と、この第１の傾斜壁部７５の図中左側（転写材ストッパ５１に対向する側）の側面に樹脂フィルムが固着されてなる第２の傾斜壁部７６と、を有している。このうち、第２の傾斜壁部７６は、その先端が上ハウジング１４の下面１４Ａの近傍まで延設されており、大きくカールした転写材Ｐの図５中の右側端部（幅方向の対辺Ｐ１，Ｐ２に直交する他辺Ｐ４）を転写材ストッパ５１側へ押すことができるように工夫されている。ここで、傾斜壁７３は、転写材Ｐがカールして図３中の左右方向の長さ寸法が短くなった場合でも、前寄せ部材５４が転写材Ｐに当接して整合作業を確実に行えるような傾斜角度になっている。また、この傾斜壁７３は、カールした転写材Ｐの端部を図７及び図８中の左側へ押圧することにより、転写材Ｐに傾斜壁７３の壁面に沿った方向の分力を生じさせ、カールした転写材Ｐの端部を起立壁７２側へ案内するように機能する。尚、起立壁７２の高さ寸法は、後処理する転写材Ｐの最大積載枚数の厚さに等しいか又はその厚さ寸法よりも僅かに大きい程度に形成されている。これにより、転写材Ｐがカールしていないか又はカールが極めて小さい場合には、起立壁７２と転写材ストッパ５１だけで転写材Ｐの搬送方向の整合が行われる。
【００４２】
図９は、第１の幅寄せ部材５５を駆動するための第１の幅寄せ部材駆動機構７７と、前寄せ部材５４を駆動するための前寄せ部材駆動機構７８と、を説明するための平面図である。これら第１の幅寄せ部材駆動機構７７と前寄せ部材駆動機構７８は、中間トレイ５３に内蔵されている。このうち、第１の幅寄せ部材駆動機構７７は、第１のモータ８０の回転をギヤ８１，８２を介して駆動プーリ８３に伝達し、駆動プーリ８３，被動プーリ８４及びテンションプーリ８５，８６に掛け渡されたタイミングベルト８７を駆動し、このタイミングベルト８７に連結部材８８を介して接続された第１の幅寄せ部材５５をガイド溝７０Ｃに沿って移動させるようになっている。また、前寄せ部材駆動機構７８は、第３のモータ９０の回転をギヤ９１，９２，９３を介して駆動プーリ９４に伝達し、駆動プーリ９４，被動プーリ９５及びテンションプーリ９６，９７に掛け渡されたタイミングベルト９８を駆動し、このタイミングベルト９８に連結部材１００を介して接続された前寄せ部材５４をガイド溝７０Ｂに沿って移動させるようになっている。
【００４３】
図１０は、第２の幅寄せ部材５６を駆動するための第２の幅寄せ部材駆動機構１０１を説明するための平面図である。この第２の幅寄せ部材駆動機構１０１は、第１の幅寄せ部材５５の基部５５Ａの内部に収容されており、第２のモータ１０２の回転をギヤ１０３，１０４，１０５を介して駆動プーリ１０６に伝達し、駆動プーリ１０６，被動プーリ１０７及びテンションプーリ１０８，１１０に掛け渡されたタイミングベルト１１１を駆動し、このタイミングベルト１１１に連結部材１１２を介して接続された第２の幅寄せ部材５６を第１の幅寄せ部材５５上で移動させるようになっている。尚、第１の幅寄せ部材５５の上面５５Ｂは、中間トレイ５３の上面７４とほぼ同一の平面になるように形成されている。
【００４４】
以上のように構成された本実施の形態の整合ユニット４３は、前寄せ部材５４の上部に、中間トレイ５３の上面７４から離れるにしたがって転写材ストッパ５１側に傾斜する傾斜壁７３が形成され、この傾斜壁７３によってカールした転写材Ｐの端部を確実に転写材ストッパ５１側へ押することができるため、転写材Ｐの搬送方向の位置（転写材Ｐの幅方向に直交する方向の位置）を正確に整合することが可能になる。その結果、本実施の形態の整合ユニット４３を使用した複写機１０は、転写材Ｐの後処理を正確に行うことが可能になる。
【００４５】
尚、上述の実施の形態において、カーソルとしての前寄せ部材５４にのみ傾斜壁７３を形成する態様を例示したが、これに限られず、カーソルとしての第１の幅寄せ部材５５及び第２の幅寄せ部材５６にも前寄せ部材５４と同様の傾斜壁７３を形成するようにしてもよく、カールした転写材Ｐの整合を行える限り、複数のカーソルの少なくとも一つに上述の前寄せ部材５４の傾斜壁７３と同様の傾斜壁を形成すればよい。
【００４７】
また、傾斜壁７３は、中間トレイ５３の上面７４から離れるにしたがって斜め左上方へ直線状に傾斜する態様を例示したが、略円弧状に傾斜させたり、傾斜角度が中間トレイ５３の上面７４から離れるにしたがって大きくなるように多段に折り曲げた形状に形成してもよい。
【００４８】
また、上述の実施の形態では、後処理としてステープルを行う場合について説明したが、本発明が適用される後処理としては外に、例えば、仕分け作業がある。この仕分け作業は、排紙トレイ４４に転写材Ｐを排出するに先立ち、転写材Ｐを適当枚数ごとに、前後方向に順に移動させるものである。こうすることで、排紙トレイ４４上に排出される転写材Ｐは、適当枚数ごとに、前後方向の積載位置が異なることになり、後の転写材Ｐの仕分けが容易になる。また、後処理としては、外に、転写材Ｐのクリップ止め，テープの貼着，穿孔作業等が考えられる。
【００４９】
また、上述の実施の形態では、画像形成装置が電子写真方式の複写機である場合を例にして説明したが、複写機に限られず、プリンタやファクシミリやこれらの複合機についても本発明を適用することができる。
【００５０】
また、上述の実施の形態において、例示した前寄せ部材駆動機構７８，第１の幅寄せ部材駆動機構７７，第２の幅寄せ部材駆動機構１０１の各態様に限られるものでなく、収容スペース等に応じて適宜変更してもよい。
【００５１】
また、本発明の整合ユニット４３は、中間トレイ５３に限られず、転写材Ｐを支持する各種のトレイに適用することができる。
【００５２】
【発明の効果】
以上のように、本発明に係る整合ユニットは、前寄せ部材の上部に、中間トレイの転写材支持面から離れるにしたがって転写材ストッパ側に傾斜する傾斜壁が形成され、この傾斜壁によってカールした転写材の端部を確実に転写材ストッパ側へ押することができるため、転写材の搬送方向の位置（転写材の幅方向に直交する方向の位置）を正確に整合することが可能になる。
【００５３】
また、上述の整合ユニットを使用した画像形成装置は、転写材の後処理を正確に行うことができる。
【図面の簡単な説明】
【図１】本発明に係る画像形成装置としての複写機の内部構造を正面側から見て示す概略図である。
【図２】図１の複写機の外観形状を示す斜視図である。
【図３】トナー像定着後の転写材を中間トレイに排出するようすを説明する図である。
【図４】後処理後の転写材を中間トレイから排出するようすを説明する図である。
【図５】整合ユニットを模式的に示す平面図である。
【図６】図５のＡ−Ａ線に沿って切断して示す第１の幅寄せ部材と第２の幅寄せ部材の関係図である。
【図７】図５のＢ−Ｂ線に沿って切断して示す前寄せ部材の拡大断面図である。
【図８】図５のＣ−Ｃ線に沿って切断して示す前寄せ部材の拡大断面図である。
【図９】第２の幅寄せ部材機構部と前寄せ部材機構部を模式的に示す平面図である。
【図１０】第１の幅寄せ部材機構部を模式的に示す平面図である。
【図１１】従来の整合ユニットを模式的に示す平面図である。
【図１２】図１１のＤ−Ｄ線に沿って切断して示す従来の前寄せ部材の拡大断面図である。
【符号の説明】
１０……複写機（画像形成装置）、１１……画像形成装置本体、１４Ａ……下面（上部壁面）、１７……定着部、４３……整合ユニット、５１……転写材ストッパ、５３……中間トレイ（トレイ）、５４……前寄せ部材（カーソル）、５５……第１の幅寄せ部材（カーソル）、５６……第２の幅寄せ部材（カーソル）、７３……傾斜壁、７４……上面（転写材支持面）
【図１】
0003644536.tif 000002
【図２】
0003644536.tif 000003
【図３】
0003644536.tif 000004
【図４】
0003644536.tif 000005
【図５】
0003644536.tif 000006
【図６】
0003644536.tif 000007
【図７】
0003644536.tif 000008
【図８】
0003644536.tif 000009
【図９】
0003644536.tif 000010
【図１０】
0003644536.tif 000011
【図１１】
0003644536.tif 000012
【図１２】
0003644536.tif 000013